(57)【要約】      （修正有）【課題】コピー防止効果に優れ、かつ、原本に手を加えなくて済み、保管性に優れるコピー防止ファイルセットおよびコピー防止ラミネートフィルムを提供する。【解決手段】情報が表示された用紙をはさんで前記用紙のコピーを防止するコピー防止ファイルセットであって、重ね合わされた一対の矩形のシート１２Ａ，１２Ｂの少なくとも隣り合う二辺が閉じられた状態の閉じ部（１３Ａ，１３Ｂ）とされるとともに、残りの辺が前記用紙を差し込み可能な開放部１４とされたファイル１１と、前記ファイルの前記開放部を封止するとともに、前記開放部の封止後に開封することにより形態が変化して再封止不能となる封止シールと、を備え、前記ファイルは、前記一対のシートの間に前記用紙をはさんだ状態で前記用紙に表示された情報を目視可能な透光性を有するとともに、コピーすることによりその複写物に特定の模様が生じるコピー識別地紋１７が形成されている。【選択図】図１
0003212280.tif 000002
【実用新案登録請求の範囲】
【請求項１】
情報が表示された用紙をはさんで前記用紙のコピーを防止するコピー防止ファイルセットであって、
重ね合わされた一対の矩形のシートの少なくとも隣り合う二辺が閉じられた状態の閉じ部とされるとともに、残りの辺が前記用紙を差し込み可能な開放部とされたファイルと、
前記ファイルの前記開放部を封止するとともに、前記開放部の封止後に開封することにより形態が変化して再封止不能となる封止シールと、を備え、
前記ファイルは、前記一対のシートの間に前記用紙をはさんだ状態で前記用紙に表示された情報を目視可能な透光性を有するとともに、コピーすることによりその複写物に特定の模様が生じるコピー識別地紋が形成されているコピー防止ファイルセット。
【請求項２】
前記開放部は、前記一対のシートの一方側に設けられた係止部と他方側に設けられた被係止部により係止可能とされている請求項１に記載のコピー防止ファイルセット。
【請求項３】
前記係止部は前記一対のシートの一方側に切り込まれた状態で設けられた係止片であるとともに、前記被係止部に係止された状態において前記他方側のシートの外面に重ね合わされるようになっており、
前記封止シールは、前記係止片と前記外面とを封止するようになっている、請求項２に記載のコピー防止ファイルセット。
【請求項４】
前記コピー識別地紋は、前記一対のシートの一方側のほぼ全域に亘って形成されている請求項１ないし請求項３のいずれか一項に記載のコピー防止ファイルセット。
【請求項５】
情報が表示された用紙をはさんで前記用紙のコピーを防止するコピー防止ラミネートフィルムであって、
重ね合わされた一対の矩形のフィルムの少なくとも一辺が閉じられた状態の閉じ部とされるとともに、残りの辺が前記用紙を差し込み可能な開放部とされており、
前記一対の矩形のフィルムの間に前記用紙をはさんだ状態で前記用紙に表示された情報を目視可能な透光性を有するとともに、コピーすることによりその複写物に特定の模様が生じるコピー識別地紋が形成されているコピー防止ラミネートフィルム。
【考案の詳細な説明】
【技術分野】
【０００１】
本明細書に開示される技術は、情報が表示された用紙のコピーを防止するコピー防止ファイルセットおよびコピー防止ラミネートフィルムに関する。
【背景技術】
【０００２】
従来、戸籍や住民票等の個人情報や契約書などの機密情報がコピー機によりコピーされ、偽造されるのを防止するために、予めコピー防止用の印刷層が形成された用紙を使用したり、例えば「秘」等のスタンプを押印したり、機密情報が表示された部分にコピー防止シールを貼り付ける構成が提案されている。
【０００３】
例えば特許文献１では、機密情報を表示する領域に、特定の波長領域において反射率が低い色の地紋や斑模様の印刷層を形成することにより、コピーした場合には機密部分が黒くなって判読不能となる構成が開示されている。また引用文献２では、透明または半透明のフィルムの裏面に所定の画像を有するホログラムまたは回折格子を設け、かつ、フィルムのうちホログラムまたは回折格子形成側に透明または半透明の金属薄膜層および接着層を順次設けてなるコピー防止シールが開示されている。このようなコピー防止シールが貼付された部分がコピーされた際には、画像部分に白抜けが発生する。
【先行技術文献】
【特許文献】
【０００４】
【特許文献１】特開平６−１９１１８８号公報
【特許文献２】特開平６−２５９０１３号公報
【考案の概要】
【考案が解決しようとする課題】
【０００５】
しかしながら、上述したものは、もともと専用の用紙に情報を印刷しなければならなかったり、コピーを防止したい部分に対応する大きさのシールが別途必要であり、手軽にコピーを防止することができなかった。また、シールを貼り付ける構成や、「秘」等のスタンプを押印する構成では、原本に直接手を加えなければならなかった。
【０００６】
本明細書に開示される技術は上記のような事情に基づいて完成されたものであって、コピー防止効果に優れ、かつ、原本に手を加えなくて済み、保管性に優れたコピー防止ファイルセットおよびコピー防止ラミネートフィルムを提供することを目的とする。
【課題を解決するための手段】
【０００７】
本明細書に開示される技術は、情報が表示された用紙をはさんで前記用紙のコピーを防止するコピー防止ファイルセットであって、重ね合わされた一対の矩形のシートの少なくとも隣り合う二辺が閉じられた状態の閉じ部とされるとともに、残りの辺が前記用紙を差し込み可能な開放部とされたファイルと、前記ファイルの前記開放部を封止するとともに、前記開放部の封止後に開封することにより形態が変化して再封止不能となる封止シールと、を備え、前記ファイルは、前記一対のシートの間に前記用紙をはさんだ状態で前記用紙に表示された情報を目視可能な透光性を有するとともに、コピーすることによりその複写物に特定の模様が生じるコピー識別地紋が形成されている。
【０００８】
上記コピー防止ファイルセットによれば、ファイルの開放部は再封止不能な封止シールにより封止される構成であるから、ファイルにはさまれた用紙を不正に取り出してコピーすることはできない。また、用紙をファイルにはさんだままコピー機によりコピーすると、複写物にはコピー識別地紋が複写されるようになっているから、複写物が原本ではないことが容易にわかる。なお、コピー識別地紋は、明らかに複写物とわかる模様や文字であることが好ましいが、社名等でもよい。
【０００９】
また、上述したコピー防止ファイルセットを使用することが予め分かっている場合には、原本はコピー防止専用の用紙を使用する必要はなく、一般の用紙を使用することができるから、用紙のコストがかからず書類の作成も容易である。
【００１０】
さらに、ファイルは透光性を有しており、ファイルを通して用紙に表示された情報を目視可能であるから、情報を確認したい場合に用紙をいちいちファイルから取り出す必要がなく、保管に便利である。
【００１１】
上記コピー防止ファイルセットは、以下の構成を備えていてもよい。
【００１２】
開放部は、一対のシートの一方側に設けられた係止部と他方側に設けられた被係止部により係止可能とされている構成であってもよい。
【００１３】
このような構成によれば、一対のシートを封止シールにより封止する際に、一対のシートの重ね合わせ位置がずれた状態で封止されることが抑制される。
【００１４】
また、上記係止部は一対のシートの一方側に切り込まれた状態で設けられた係止片であるとともに、被係止部に係止された状態において他方側のシートの外面に重ね合わされるようになっており、封止シールは、係止片と他方側のシートの外面とを封止するようになっていてもよい。
【００１５】
このような構成によれば、封止シールを係止片と他方側のシートの外面との境界部分を覆うように平面的に貼り付けることでファイルを封止できるから、一方のシートと他方のシートの縁部を挟み込むように封止シールを折り曲げて貼り付ける構成と比較して、封止作業が容易になる。
【００１６】
また、コピー識別地紋は、一対のシートの一方側のほぼ全域に亘って形成されている構成としてもよい。
【００１７】
このような構成によれば、コピー識別地紋を一部に形成する構成と比較して、複写物が原本でないことが一目瞭然でわかる。
【００１８】
また本明細書に開示される技術は、情報が表示された用紙をはさんで前記用紙のコピーを防止するコピー防止ラミネートフィルムであって、重ね合わされた一対の矩形のフィルムの少なくとも一辺が閉じられた状態の閉じ部とされるとともに、残りの辺が前記用紙を差し込み可能な開放部とされており、前記一対の矩形のフィルムの間に前記用紙をはさんだ状態で前記用紙に表示された情報を目視可能な透光性を有するとともに、コピーすることによりその複写物に特定の模様が生じるコピー識別地紋が形成されている。
【００１９】
用紙は、熱圧着された一対のフィルム間にはさまれてラミネートフィルム内に閉じられた状態とされる。上記コピー防止ラミネートフィルムによれば、ラミネートフィルムにはさまれた状態の用紙をコピー機によりコピーすると、複写物にはコピー識別地紋が複写されるようになっているから、複写物が原本ではないことが容易にわかる。なお、コピー識別地紋は、明らかに複写物とわかる模様や文字であることが好ましいが、社名等でもよい。
【００２０】
また、上述したラミネートフィルムを使用することが予め分かっている場合には、原本はコピー防止専用の用紙を使用する必要はなく、一般の用紙を使用することができるから、用紙のコストがかからず書類の作成も容易である。
【００２１】
さらに、ラミネートフィルムは透光性を有しているから、用紙に表示された情報を目視可能であり、保管に便利である。
【考案の効果】
【００２２】
本明細書に開示される技術によれば、コピー防止効果に優れ、かつ、原本に手を加えなくて済み、保管性に優れたコピー防止ファイルセットおよびコピー防止ラミネートフィルムが得られる。
【図面の簡単な説明】
【００２３】
【図１】実施形態１のファイルの平面図
【図２】ファイルの表側の斜視図
【図３】ファイルの裏側の斜視図
【図４】ファイルに情報表示用紙をはさんだ状態のコピー防止ファイルセットの平面図
【図５】同じく底面図
【図６】封止シールを一部剥がした状態を示すファイルの裏面側の斜視図
【図７】実施形態２のラミネートフィルムの斜視図
【図８】ラミネートフィルムに情報表示用紙をはさんだ状態のコピー防止ラミネートフィルムの平面図
【考案を実施するための形態】
【００２４】
＜実施形態１＞
実施施形態１のコピー防止ファイルセット１０を図１ないし図６によって説明する。以下の説明においては、図１の右側を右、左側を左、上側を上、下側を下とする。また、紙面に直交する方向において手前側を表、奥側を裏とする。
【００２５】
本実施形態のコピー防止ファイルセット１０は、ファイル１１と封止シール２０とから構成されている。
【００２６】
ファイル１１はＡ４サイズの用紙をはさむことが可能な大きさであって、例えばポリプロピレン等の一対の柔軟な略長方形の第１シート１２Ａおよび第２シート１２Ｂが重ね合わされるとともに、隣り合う２辺が閉じられた状態の閉じ部１３とされてなる。閉じ部１３は、例えば、重ね合わされた第１シート１２Ａおよび第２シート１２Ｂの縁部を溶着等により接合することにより形成することができる。また、約Ａ３サイズの一枚のシートを二つ折りにして、折り返し部を閉じ部１３とすることもできる。この場合、折り返し部をはさんだ一方側が第１シート１２Ａとされ、他方側が第２シート１２Ｂとされる。また閉じ部１３は、はさまれた用紙がはみ出さない程度に閉じられていればよく、辺の全体が閉じられていなくてもよい。
【００２７】
本実施形態においては、例えば図２に示すように、重ね合わされた一対のシートのうち手前側（表側）が第１シート１２Ａとされ、奥側（裏側）が第２シート１２Ｂとされている。また、図２中左側の長辺は、連続した第１シート１２Ａおよび第２シート１２Ｂが二つ折りにされることにより折り返し部とされた第１閉じ部１３Ａであり、下側の短辺は、ミシン目による熱溶着により接合された第２閉じ部１３Ｂとされている。第２閉じ部１３Ｂは、左側（第１閉じ部１３Ａ側）の端部からやや離れた位置から右側の端部にかけて形成されている。
【００２８】
なお、図２中の右側の長辺および上側の短辺は閉じられておらず、第１シート１２Ａおよび第２シート１２Ｂの間に用紙を差し込み可能な開放部１４とされている。
【００２９】
第１シート１２Ａの右辺のうち上端部寄りには、縁部から半円形に切り欠かれた第１切欠部１５が設けられている。第１切欠部１５は、ファイル１１を開く際に第２シート１２Ｂに指をかけ、第１シート１２Ａを開き易くする部分である。また、同じく第１シート１２Ａの右辺のうち下端部寄りには、縁部から直角三角形状に切り欠かれた第２切欠部１６が設けられている。第２切欠部１６は、ファイル１１を開く際に第２閉じ部１３Ｂにかかる負担を抑制し、第２閉じ部１３Ｂを剥がれ難くするためのものである。
【００３０】
本実施形態のファイル１１の第１シート１２Ａの外面（表面）には、図１に示すように、ほぼ全域に亘ってコピー識別地紋１７が設けられている。コピー識別地紋１７は、例えば透光性を有する水色等の印刷層により形成されており、人の目には網掛けしたような全体に薄い地紋として見えるが、コピー機によりコピーすると「ＣＯＰＹ」等の特定の顕像が現れる地紋である。コピー識別地紋１７は、例えば「ＣＯＰＹ」の文字の部分とそれ以外の部分との地紋を構成する網点の大きさ・密度、色の濃度等を適切に制御することにより形成することができる。
【００３１】
コピー識別地紋１７は、情報が表示された用紙３０をファイル１１にはさんだ状態で、外側から情報を透かし見ることが可能な透光性を有している。なおコピー識別地紋１７は、図２および図３においてはファイル１１の構成がよりわかり易くなるよう省略している。
【００３２】
本実施形態のファイル１１には、開放部１４を閉じた状態に係止する係止機構が設けられている。係止機構は、第１シート１２Ａに設けられた係止片１８と第２シート１２Ｂに設けられた被係止部１９とから構成されている。
【００３３】
係止片１８は、図１に示すように、一対の開放部１４（図１の右側の辺および上側の辺）の長さ方向における各中央部に設けられており、各辺の縁部付近から第１シート１２Ａの内側に向けて先端側がやや幅狭の矩形状に切り込まれることにより、その先端側を第１シート１２Ａの面から交差する方向に起こすことが可能な片状とされている（図２参照）。
【００３４】
一方、被係止部１９は、第２シート１２Ｂのうち係止片１８に対応する位置において縁部から矩形状に切り欠かれた形態をなしており、第２シート１２Ｂ側に起こされた係止片１８をその内側に引っ掛けることが可能な、係止片１８より僅かに幅広な幅寸法を有している。
【００３５】
すなわち、係止片１８および被係止部１９が係止された状態においては、係止片１８は被係止部１９の幅方向の内側に配されるとともに、第２シート１２Ｂの外面に重ね合わされた状態とされる（図３参照）。
【００３６】
さらに本実施形態においては、係止片１８が封止シール２０により第２シート１２Ｂとの間で封止されるようになっている。封止シール２０は、例えばＶＯＩＤシールと称される、開封後に形態が変化して再封止不能となるシールであって、次のような構成とされている。
【００３７】
封止シール２０は、合成樹脂フィルムに例えば蒸着等により金属薄膜を形成し、その上に例えば模様や文字等のポジ版によって粘着剤を印刷することで粘着力を部分的に異ならせた形態としたものである。このような構成の封止シール２０は、一旦封止した後に剥がした場合には、粘着力が強い模様等の部分は金属膜が合成樹脂フィルムから剥がれてファイル１１側（係止片１８側）に残るから、封止シール２０自体の形態が変化して再封止不可となる（図６参照）。これにより、封止シール２０を不正に剥がしてファイル１１を開放し、ファイル１１に保管された用紙３０を取り出すことが抑制される。
【００３８】
本実施形態のコピー防止ファイルセット１０は以上の構成であり、次にその作用効果について説明する。
【００３９】
コピーを防止したい用紙３０をファイル１１の開放部１４から差し込み、第１シート１２Ａに設けられた係止片１８を第２シート１２Ｂの被係止部１９に係止する。そして、第２シート１２Ｂの外面に重ね合わされた係止片１８を、封止シール２０により第２シート１２Ｂに貼り付ける。より詳細には、封止シール２０を、係止片１８と第２シート１２Ｂの外面との境界部分を覆うように平面的に貼り付ける。
【００４０】
この状態では、仮にファイル１１をそのままコピーしようとしても、ファイル１１にはコピー識別地紋１７が形成されているため、複写物にコピー識別地紋１７が複写され、複写物は原本ではないことが容易にわかる。また、ファイル１１から用紙３０を不正に抜き出してコピーしようとする場合には、封止シール２０を引き剥がして開放部１４を開放しなければならないが、封止シール２０は再封止不能な構成とされているため、ファイル１１の封止が解かれたことが容易にわかる。このため、封止シール２０を不正に剥がすことはできない。
【００４１】
一方、ファイル１１は透光性を有しており、ファイル１１を通して用紙３０に表示された情報を目視可能であるから、情報を確認したい場合には、用紙３０をいちいちファイル１１から取り出す必要がない。このため、いつでも内容を確認可能であり、なおかつ、用紙３０をファイル１１にはさんだ状態で保管することができる。
【００４２】
また、本実施形態のコピー防止ファイルセット１０を使用する場合には、原本は複写防止専用の用紙を使用する必要はなく、一般の用紙を使用することができるから、用紙のコストがかからず書類の作成も容易である。また、原本に「秘」等のスタンプを押印する等直接手を加えなくても済み、原本をもとの状態のまま保管することができる。
【００４３】
また本実施形態のファイル１１では、開放部１４を閉じる際に、第１シート１２Ａの係止片１８を第２シート１２Ｂの被係止部１９に係止する構成とされている。このような構成によれば、ファイル１１を封止する際に一対のシート１２Ａ，１２Ｂの位置ずれを抑制することができる。
【００４４】
また、係止片１８は第１シート１２Ａに切り込まれた状態で設けられており、被係止部１９に係止された状態において第２シート１２Ｂの外面に重ね合わされるようになっており、封止シール２０は、係止片１８と第２シート１２Ｂの外面とを封止するようになっている。
【００４５】
このような構成によれば、封止シール２０を係止片１８と第２シート１２Ｂの外面との境界部分を覆うように平面的に貼り付けることでファイル１１を封止できるから、一対のシートの縁部を挟み込むように封止シールを折り曲げて貼り付ける構成と比較して、封止作業が容易である。
【００４６】
さらに、コピー識別地紋１７は第１シート１２Ａのほぼ全域に亘って形成されているから、コピー識別地紋を一部に形成する構成と比較して、複写物が原本でないことが一目瞭然でわかる。
【００４７】
このように、本実施形態のコピー防止ファイルセット１０は、コピー防止効果に優れ、かつ、原本に手を加えなくて済み、保管性にも優れる。
【００４８】
＜実施形態２＞
次に、実施形態２のコピー防止ラミネートフィルム４０を図７および図８によって説明する。
【００４９】
コピー防止ラミネートフィルム４０は、Ａ４サイズの用紙をはさむことが可能な一対の長方形状の第１フィルム４２Ａおよび第２フィルム４２Ｂとからなる。これらの一対のフィルム４２Ａ，４２Ｂは例えば厚さ１００μｍのポリエチレンやＰＥＴ樹脂、ＥＶＡ樹脂からなり、互いに重ね合わされるとともに一の短辺が例えば熱溶着により閉じられた状態の閉じ部４３とされている。閉じ部４３は、はさまれた用紙３０がはみ出さず、一対のフィルム４２Ａ，４２Ｂの位置決め程度に閉じられていればよく、辺の全体が閉じられていなくてもよい。
【００５０】
本実施形態においては、例えば図７に示すように、重ね合わされた一対のフィルムのうち上側（表側）が第１フィルム４２Ａとされ、下側（裏側）が第２フィルム４２Ｂとされている。また、図７中左側の短辺は、熱溶着により接合された閉じ部４３とされている。図７中における上下側の長辺および右側の短辺は閉じられておらず、第１フィルム４２Ａおよび第２フィルム４２Ｂの間に用紙３０を差し込み可能な開放部４４とされている。
【００５１】
本実施形態のコピー防止ラミネートフィルム４０の第１フィルム４２Ａの外面（表面）には、図７に示すように、ほぼ全域に亘ってコピー識別地紋４７が設けられている。コピー識別地紋４７は、上記実施形態１と同様に、例えば透光性を有する水色等の印刷層により形成されており、人の目には網掛けしたような全体に薄い地紋として見えるが、コピー機によりコピーすると「ＣＯＰＹ」等の特定の顕像が現れる地紋である。コピー識別地紋４７は、例えば「ＣＯＰＹ」の文字の部分とそれ以外の部分との地紋を構成する網点の大きさ・密度、色の濃度等を適切に制御することにより形成することができる。コピー識別地紋４７は、明らかに複写物とわかる模様や文字であることが好ましいが、社名等でもよい。
【００５２】
コピー識別地紋４７は、情報が表示された用紙３０を一対のフィルム４２Ａ，４２Ｂにはさんだ状態で、外側から情報を透かし見ることが可能な透光性を有している。
【００５３】
本実施形態のコピー防止ラミネートフィルム４０を使用する際には、コピーを防止したい用紙３０を開放部４４から第１フィルム４２Ａおよび第２フィルム４２の間に差し込み、第１フィルム４２Ａおよび第２フィルム４２をぴったり重ね合わせる。この時、表示された情報が第１フィルム４２Ａ側に配される向きに用紙３０をはさむ。そして、ラミネーターまたは家庭用アイロン等により、第１フィルム４２Ａおよび第２フィルム４２を熱により貼り合わせる。これにより、第１フィルム４２Ａおよび第２フィルム４２Ｂの間に用紙３０が取り出し不能に挟まれた状態とされる（図８）。
【００５４】
この状態では、用紙３０に表示された情報を覆っている第１フィルム４２Ａにはコピー識別地紋４７が形成されているため、複写物にはコピー識別地紋４７が複写され、複写物は原本ではないことが容易にわかる。一方、フィルム４２Ａ，４２Ｂは透光性を有しており、第１フィルム４２Ａを通して用紙３０に表示された情報はいつでも内容を目視可能である。また、用紙３０はフィルム４２Ａ，４２Ｂにはさんだ状態のまま保管することができる。
【００５５】
また、上述したラミネートフィルム４０を使用することが予め分かっている場合には、原本はコピー防止専用の用紙を使用する必要はなく、一般の用紙を使用することができるから、用紙のコストがかからず書類の作成も容易である。
【００５６】
このように、本実施形態のコピー防止ラミネートフィルム４０は、コピー防止効果に優れ、かつ、原本に手を加えなくて済み、保管性にも優れる。
【００５７】
＜他の実施形態＞
本明細書に開示される技術は上記記述及び図面によって説明した実施形態に限定されるものではなく、例えば次のような実施形態も技術的範囲に含まれる。
【００５８】
（１）上記実施形態では、コピー識別地紋１７、４７を第１シート１２Ａおよび第１フィルム４２Ａだけに形成したが、第２シート１２Ｂおよび第２フィルム４２Ｂにも形成してもよい。この場合には、用紙の両面に情報が表示されている場合でも、コピー防止効果が得られる。あるいは、コピー識別地紋１７、４７は各シート１２Ａ，１２Ｂ、各フィルム４２Ａ，４２Ｂのほぼ全域でなく、一部だけに形成してもよい。
【００５９】
（２）上記実施形態では、コピー識別地紋１７、４７は予めファイル１１およびラミネートフィルム４０に印刷されている形態を示したが、コピー識別地紋を例えばファイル１１およびラミネートフィルム４０の内側から貼り付けるシールにして、所望の位置に貼り付けられる形態のコピー防止ファイルセットおよびコピー防止ラミネートフィルムとしてもよい。
【００６０】
（３）上記実施形態１では、閉じ部１３を一対のシート１２Ａ，１２Ｂの隣り合う２辺に設ける構成としたが、３辺に設け、１辺だけを開放部１４としてもよい。また実施形態２においても、１辺だけでなく、複数の辺に設ける構成としてもよい。
【００６１】
（４）上記実施形態１では、第１シート１２Ａに係止片１８を設け、第２シート１２Ｂに被係止部１９を設けて互いに係止させる構成としたが、係止片１８や被係止部１９は省略してもよい。その場合には、封止シール２０を第１シート１２Ａおよび第２シート１２Ｂの縁部に配し、二つ折りにする形態で開放部１４を閉じることができる。
【００６２】
（５）係止片１８（係止部）および被係止部１９の形態は上記実施形態に限るものでなく、任意に変更することができる。
【００６３】
（６）コピー識別地紋１７、４７は上記実施形態に限らず、任意の模様や文字とすることができる。なお、コピー識別地紋は、明らかに複写物とわかる模様や文字であることが好ましいが、社名等でもよい。
【００６４】
（７）再封止不可な封止シール２０は上記実施形態１に限るものでなく、他の形態のものを使用することができる。例えば、脆弱材料からなるシールの基材に粘着剤を設けた形態とし、開封時に容易に破断して形態が変化することで再封止不可とする構成のものでもよい。
【符号の説明】
【００６５】
１０：コピー防止ファイルセット、１１：ファイル、１２Ａ：第１シート、１２Ｂ：第２シート、１３、４３：閉じ部、１４、４４：開放部、１７、４７：コピー識別地紋：、１８：係止片（係止部）、１９：被係止部、２０：封止シール、３０：用紙、４０：コピー防止ラミネートフィルム、４２Ａ：第１フィルム、４２Ｂ：第２フィルム
【図１】
0003212280.tif 000003
【図２】
0003212280.tif 000004
【図３】
0003212280.tif 000005
【図４】
0003212280.tif 000006
【図５】
0003212280.tif 000007
【図６】
0003212280.tif 000008
【図７】
0003212280.tif 000009
【図８】
0003212280.tif 000010